(57)【要約】【課題】  空気清浄器の使用目的や使用環境に応じて必要なフィルターにのみ空気が通過するようにした空気清浄器の構造を提供する。【解決手段】  外形をなし室内の空気が吸入される第１吸入口及び第２吸入口と、集塵、或いは脱臭された空気が排出される吐出口とを有する本体；前記本体内の前記第１吸入口に少なくとも一つ以上提供される集塵用フィルター；前記本体内の前記第２吸入口に少なくとも一つ以上提供される脱臭用フィルター；室内空気を吸入して前記本体内の各フィルター部を通過した後、吐出口に排出されるように吸入力を提供する少なくとも一つ以上の排気ファン；前記各吸入口を選択的に開閉する開閉手段を含めてなることを特徴とする。【選択図】      図３
2005046590.tif 000002
【特許請求の範囲】
【請求項１】
外形をなし室内の空気が吸入される第１吸入口及び第２吸入口と、集塵、或いは脱臭された空気が排出される吐出口とを有する本体；
前記本体内の前記第１吸入口に少なくとも一つ以上提供される集塵用フィルター；
前記本体内の前記第２吸入口に少なくとも一つ以上提供される脱臭用フィルター；
室内空気を吸入して前記本体内の各フィルター部を通過した後、吐出口に排出されるように吸入力を提供する少なくとも一つ以上の排気ファン；
前記各吸入口を選択的に開閉する開閉手段を含めてなることを特徴とする空気清浄器。
【請求項２】
前記各吸入口は、
前記本体の前面に並列にそれぞれ形成されることを特徴とする請求項１記載の空気清浄器。
【請求項３】
前記排気ファンは遠心ファンであることを特徴とする請求項１記載の空気清浄器。
【請求項４】
前記各吸入口は、
前記本体の両側面にそれぞれ形成されることを特徴とする請求項１記載の空気清浄器。
【請求項５】
前記排気ファンは前記各吸入口の中央部分に並列に装着される一対の遠心ファンであることを特徴とする請求項４記載の空気清浄器。
【請求項６】
前記各吸入口は前記本体の前面及び後面にそれぞれ形成されることを特徴とする請求項１記載の空気清浄器。
【請求項７】
前記排気ファンは前記各吸入口の中央部分に並列に装着される一対の遠心ファンであることを特徴とする請求項６記載の空気清浄器。
【請求項８】
前記集塵用フィルターと、前記脱臭用フィルターとの間には分離バーが提供されることを特徴とする請求項１記載の空気清浄器。
【請求項９】
前記開閉手段は、
前記第１吸入口を開閉する第１ドア部と、
前記第２吸入口を開閉する第２ドア部と、
前記各ドア部をそれぞれ移動させる第１駆動部及び第２駆動部とが含まれることを特徴とする請求項１記載の空気清浄器。
【請求項１０】
前記第１駆動部は第１駆動モータと、前記第１駆動モータと第１ドア部とを連結する第１連結ワイヤとを含めて構成され、
前記第２駆動部は第２駆動モータと、前記第２駆動モータと第２ドア部とを連結する第２連結ワイヤとを含めて構成されることを特徴とする請求項９記載の空気清浄器。
【請求項１１】
前記開閉手段は各ドア部の移動経路を案内する第１ガイドレール及び第２ガイドレールをさらに含めて構成されることを特徴とする請求項９記載の空気清浄器。
【請求項１２】
前記第１ガイドレールは前記第１吸入口を閉鎖または開放する位置に前記第１ドア部を案内するように前記本体内の周縁に沿ってベンディングされ、前記第２ガイドレールは前記第２吸入口を閉鎖または開放する位置に前記第２ドア部を案内するように、前記本体内の周縁に沿ってベンディングされることを特徴とする請求項１１記載の空気清浄器。
【請求項１３】
前記各ガイドレールは前記各ドア部の上側または下側部分を案内するように提供されることを特徴とする請求項１１記載の空気清浄器。
【請求項１４】
前記各ガイドレールは前記各ドア部の上側および下側部分を案内するように提供されることを特徴とする請求項１１記載の空気清浄器。
【請求項１５】
前記各ドア部はフレキシブルにベンディング可能な物質からなることを特徴とする請求項９記載の空気清浄器。
【請求項１６】
前記各ドア部は、
狭い幅を有した多数個の平板と、
前記平板の間に提供され、フレキシブルにベンディング可能なベンディング部とを含めてなることを特徴とする請求項９記載の空気清浄器。
【請求項１７】
前記開閉手段は、
前記各吸入口のうち少なくとも何れか一つの吸入口を選択的に閉鎖できるように移動可能に構成された第３ドア部と、
前記第３ドア部を両側に移動させる第３駆動部とが含まれることを特徴とする請求項１記載の空気清浄器。
【請求項１８】
前記第３駆動部は、
第３ドア部の一方面に一端が連結された第３連結ワイヤと、
前記第３連結ワイヤを巻いたり解いたりするように駆動する第３駆動モータと、
前記第３ドア部の他方面に一端が連結された第４連結ワイヤと、
前記第４連結ワイヤを巻いたり解いたりするように駆動する第４駆動モータとを含めて構成されることを特徴とする請求項１７記載の空気清浄器。
【請求項１９】
前記集塵用フィルターと、前記脱臭用フィルターとの間には分離バーが提供され、前記第３ドア部の両側の先端には前記分離バーに拘束されるピンが形成されることを特徴とする請求項１８記載の空気清浄器。
【請求項２０】
前記第３駆動部は、
前記第３ドア部の一方に一端が連結された第５連結ワイヤと、
前記第３ドア部の他方に一端が連結された第６連結ワイヤと、
前記第５連結ワイヤ、及び第６連結ワイヤの他端が連結され、前記各連結ワイヤを巻いたり解いたりするように駆動する第５駆動モータとを含めて構成されることを特徴とする請求項１７記載の空気清浄器。
【発明の詳細な説明】
【技術分野】
【０００１】
本発明は空気清浄器に関し、特に空気清浄器の使用がその使用目的や環境に応じて適合して作動する空気清浄器の構造に関する。
【０００２】
一般に、空気清浄器は室内の各種の匂いなどを除去する脱臭作用と、塵を除去する集塵作用を行うことで快適な室内環境になるようにする装置である。
添付の図８及び図９は前記空気清浄器の一般的な内部構造を概略的に示す。
図示したように、従来の空気清浄器は大別して外観をなす本体１０、多数のフィルター、排気ファン３０、そして、流路ガイド４０を含めてなる。
【０００３】
前記本体１０はその前面の下部に室内空気が吸入される空気吸入口１１が形成され、その上面の後方側に浄化された空気が吐き出される空気吐出口１２が形成されてなる。
【０００４】
前記各種のフィルターは各種の塵などの除去のための多数の集塵用フィルター２１と、各種の匂いなどの脱臭のための多数の脱臭用フィルター２２とを含めてなり、前記各種のフィルター２１，２２は前記本体１０の空気吸入口１１が形成された部分に順次に装着される。
【０００５】
前記排気ファン３０は前記フィルター２１，２２の後方に装着され、前記空気吸入口１１から吸入され前記フィルター２１，２２を通過した空気を本体１０の外部に排出させる。
【０００６】
前記流路ガイド４０は前記本体１０内の後方部に沿って形成され、前記排気ファン３０を通過した空気の流動を前記本体１０の空気吐出口１２に案内する。
したがって、空気清浄器の運転が始まると、排気ファン３０の回転によって空気吸入口を介して室内の空気が本体１０の内部に吸入され、前記吸入された室内の空気は前記フィルター２１，２２を通過する過程で集塵及び脱臭が行われる。この際、前記集塵は各種の塵の除去のために装着された集塵用フィルター２１を通過しながら行われ、前記脱臭は前記集塵用フィルター２１の後方に装着された脱臭用フィルター２２を通過する過程で行われる。
【０００７】
前記集塵及び脱臭が行われた空気は前記排気ファン３０を通過した後、流路ガイド４０の案内を受けて空気吐出口１２を介して室内に排気されることで室内空気の浄化が行われる。
【０００８】
しかしながら、上述した従来の空気清浄器のフィルター装着構造が有する幾つかの問題点は次の通りである。
一、従来の空気清浄器はその使用目的、または場所に関らず、吸入された空気が全てのフィルターを順次に通過するように構成されているため、フィルターの寿命を短縮させるという問題がある。
【０００９】
例えば、台所などで脱臭を目的に前記空気清浄器が使用される場合、各種の匂い成分が含まれた空気が集塵用フィルターを不必要に通過するので、前記集塵用フィルターが諸機能を発揮できずに汚れてしまい、前記集塵用フィルターの寿命を短縮させた。
【００１０】
また、塵の多い場所で室内空気の浄化のために空気清浄器が使用される場合には各種の塵などが含まれた空気を脱臭用フィルターに通過させる必要がない。
それにも拘わらず、前記空気が脱臭用フィルターを通過し、前記脱臭用フィルターの寿命が無駄に短縮される。特に、前記脱臭用フィルターは通常活性炭フィルターを使用するので、前記塵が蓄積すると脱臭性能を低下させ、ユーザの機器に対する信頼を低下させる。
【００１１】
二、従来の空気清浄器は吸入空気が多数のフィルターを通過するように構成されているので、前記フィルターによる流路抵抗が発生して排気ファンを駆動するファンモータ（図示せず）の負荷が増加し、消費電力が上昇するという問題がある。
【発明の開示】
【発明が解決しようとする課題】
【００１２】
本発明は上記のような問題点を解決するためのもので、空気清浄器の使用目的や使用環境に応じて必要なフィルターのみに空気が通過するようにした空気清浄器の構造を提供することにある。
【課題を解決するための手段】
【００１３】
上記目的を達成するために、本発明による空気清浄器は、外形をなし室内の空気が吸入される第１吸入口及び第２吸入口と、集塵、或いは脱臭された空気が排出される吐出口とを有する本体；前記本体内の前記第１吸入口に少なくとも一つ以上提供される集塵用フィルター；前記本体内の前記第２吸入口に少なくとも一つ以上提供される脱臭用フィルター；室内空気を吸入して前記本体内の各フィルター部を通過した後、吐出口に排出されるように吸入力を提供する少なくとも一つ以上の排気ファン；前記各吸入口を選択的に開閉する開閉手段を含めてなることを特徴とする。
【００１４】
ここで、前記各吸入口は、前記本体の前面に並列にそれぞれ形成され、前記排気ファンは遠心ファンからなる。
【００１５】
一方、前記各吸入口は、前記本体の両側面にそれぞれ形成されえるし、前記排気ファンは前記各吸入口の中央部分に並列に装着される一対の遠心ファンからなる。
【００１６】
また、前記各吸入口は前記本体の前面及び後面にそれぞれ形成されえるし、この際、前記排気ファンは前記各吸入口の中央部分に並列に装着される一対の遠心ファンからなる。
ここで、前記集塵用フィルターと、前記脱臭用フィルターとの間には分離バーが提供される。
【００１７】
本発明の一実施形態による前記開閉手段は、前記第１吸入口を開閉する第１ドア部と、前記第２吸入口を開閉する第２ドア部と、前記各ドア部をそれぞれ移動させる第１駆動部及び第２駆動部とを含めてなる。
【００１８】
ここで、前記第１駆動部は第１駆動モータと、前記第１駆動モータと第１ドア部とを連結する第１連結ワイヤとを含めて構成され、前記第２駆動部は第２駆動モータと、前記第２駆動モータと第２ドア部とを連結する第２連結ワイヤとを含めて構成される。
【００１９】
前記開閉手段は各ドア部の移動経路を案内する第１ガイドレール及び第２ガイドレールをさらに含めて構成され、前記第１ガイドレールは前記第１吸入口を閉鎖または開放する位置に前記第１ドア部を案内するように前記本体内の周縁に沿ってベンディングされ、前記第２ガイドレールは前記第２吸入口を閉鎖または開放する位置に前記第２ドア部を案内するように前記本体内の周縁に沿ってベンディングされる。
【００２０】
ここで、前記各ガイドレールは前記各ドア部の上側または下側部分を案内するように提供され、前記各ガイドレールは前記各ドア部の上側および下側部分を案内するように提供される。
【００２１】
前記各ドア部はフレキシブルにベンディング可能な物質からなる。また、前記各ドア部は、狭い幅を有した多数個の平板と、前記平板の間に提供され、フレキシブルにベンディング可能なベンディング部とを含めてなることもある。
【００２２】
本発明の他の実施形態による前記開閉手段は、前記各吸入口のうち少なくとも何れか一つの吸入口を選択的に閉鎖できるように移動可能に構成された第３ドア部と、前記第３ドア部を両側に移動させる第３駆動部とが含まれてなる。
【００２３】
ここで、前記第３駆動部は、第３ドア部の一方面に一端が連結された第３連結ワイヤと、前記第３連結ワイヤを巻いたり解いたりするように駆動する第３駆動モータと、前記第３ドア部の他方面に一端が連結された第４連結ワイヤと、前記第４連結ワイヤを巻いたり解いたりするように駆動する第４駆動モータとを含めてなる。
【００２４】
また、前記集塵用フィルターと、前記脱臭用フィルターとの間には分離バーが提供され、前記第３ドア部の両側の先端には前記分離バーに拘束されるピンが形成されるように構成することが好ましい。
【００２５】
一方、前記第３駆動部は、前記第３ドア部の一方に一端が連結された第５連結ワイヤと、前記第３ドア部の他方に一端が連結された第６連結ワイヤと、前記第５連結ワイヤ、及び第６連結ワイヤの他端が連結され、前記各連結ワイヤを巻いたり解くように駆動する第５駆動モータとを含めて構成されることもある。
【発明の効果】
【００２６】
本発明による空気清浄器はその使用目的や使用環境に応じて必要なフィルターにのみ空気を通過させることで、各フィルターの寿命短縮を防止できる。
さらに、空気が通過するフィルターの数が従来技術に比べて減ることで、吸入力を提供するのための排気ファンの負荷が減少しえる。即ち、前記排気ファンを同一の条件（同一ＲＰＭ）で駆動させる場合、本発明の空気清浄器が吸入する風量が既存の空気清浄器が吸入する風量に比べ遥かに増加するという効果を奏する。
【発明を実施するための最良の形態】
【００２７】
以下、本発明の好ましい実施形態を添付の図面に基づいて詳細に説明する。
【００２８】
以下、添付の図１乃至図７に基づいて本発明の各実施形態による空気清浄器を具体的に説明する。
【００２９】
図１は本発明による空気清浄器を示す側断面図である。
図１に示すように、本発明の空気清浄器は本体、集塵用フィルター、脱臭用フィルター、排気ファン、そして、開閉手段を含めてなる。
まず、図１乃至図４に示すように本発明の第１実施形態による空気清浄器は大別して本体１００、集塵用フィルター２１０、脱臭用フィルター２２０、排気ファン３００、そして、開閉手段を含めてなる。
【００３０】
ここで、前記本体１００は空気清浄器の外形をなし室内の空気が吸入される第１吸入口１１１及び第２吸入口１１２を有し、集塵、或いは脱臭された空気が排出される吐出口１２０を有する。この際、前記第１吸入口１１１は本体１００の前面の一方に形成されると共に、前記第２吸入口１１２は前記本体１００の前面の他方に形成され、前記吐出口１２０は前記本体１００の上面に形成される。
【００３１】
少なくとも一つ以上の集塵用フィルター２１０が吸入空気中の各種の塵などを除去するように前記本体１００内の第１吸入口１１１の後方に提供され、前記脱臭用フィルター２２０は吸入空気中の各種の匂いなどを除去するように前記本体１００内の第２吸入口１１２の後方に提供される。
即ち、前記第１吸入口１１０及び第２吸入口１１２は並列に形成され、これに対応して前記集塵用フィルター２１０と脱臭用フィルター２２０も並列に提供される。
【００３２】
前記排気ファン３００は前記本体内の各吸入口１１１，１１２の後方に装着され、前記各吸入口１１１，１１２を介して室内空気を吸入する。この際、前記排気ファン３００の外周面には流路ガイド４００が提供され、前記流路ガイド４００は前記排気ファン３００に吸入された空気が本体１００の上面に形成された吐出口１２０を介して排出されるように案内する。
【００３３】
前記開閉手段は前記各吸入口１１１，１１２を選択的に開閉するように動作し、第１ドア部５１０、第２ドア部５２０、第１駆動部、そして、第２駆動部を含む。ここで、前記第１ドア部５１０は第１吸入口１１１を開閉するように装着され、前記第２ドア部５２０は第２吸入口１１２を開閉するように提供される。
【００３４】
これと共に、前記第１駆動部は本体１００内の一方に位置し、前記第１ドア部５１０を移動させるように提供され、前記第２駆動部は本体１００内の他方に位置し前記第２ドア部５２０を移動させるように提供される。この際、前記第１駆動部は本体１００内の後側の一方に装着される第１駆動モータ５３１、及び第１連結ワイヤ５３２を含めてなり、前記第２駆動部は本体１００内の後側の他方に提供された第２駆動モータ５４１、及び第２連結ワイヤ５４２を含めて構成される。
【００３５】
前記第１連結ワイヤ５３２の両端は前記第１駆動モータ５３１と、第１ドア部５１０とにそれぞれ連結され、前記第１駆動モータ５３１の駆動によって巻かれたり解かれたりして前記第１ドア部５１０を移動させる。前記第２連結ワイヤ５４２の両端は前記第２駆動モータ５４１と、第２ドア部５２０とにそれぞれ連結され、前記第２駆動モータ５４１の駆動によって巻かれたり解かれたりして前記第２ドア部５２０を移動させるように動作する。
【００３６】
そして、本実施形態は前記本体１００の内部に前記第１ドア部５１０及び第２ドア部５２０の移動経路を案内するための第１ガイドレール５５１及び第２ガイドレール５５２をさらに含めてなる。
【００３７】
前記第１ガイドレール５５１は第１吸入口１１１が形成された本体１００内の前方から第１駆動モータ５３１が備えられた本体１００内の後方の一方にまで第１ドア部５１０の移動経路を案内するように形成される。前記第２ガイドレール５５２は第２吸入口１１２が形成された本体１００内の前方から第２駆動モータ５４１が備えられた本体１００内の後方の他方にまで第２ドア部５２０の移動経路を案内するように形成される。
この際、前記各ガイドレール５５１，５５２は各ドア部５１０，５２０の下部または上部のみをガイドするように形成されるか、あるいは前記各ドア部５１０，５２０の上部及び下部を共にガイドするように形成されることもある。
【００３８】
図示したように、前記各ガイドレール５５１，５５２は前記本体１００の内部空間の周縁に沿って“Ｌ”字状に形成されるので、前記各ドア部５１０，５２０は前記ガイドレール５５１，５５２に沿って移動しながらベンディングの可能なフレキシブルな材質からなる。したがって、前記各ガイドレール５５１，５５２が本体１００内の角に沿ってベンディングされ案内されるので、前記各ドア部５１０，５２０の円滑な移動が可能である。
【００３９】
また、前記各ドア部５１０，５２０は小幅を有した多数個の平板と、前記平板の間に形成され、ベンディングの可能な部分とを含めてなることで、全体的に前記各ドア部５１０，５２０が前記ガイドレール５５１，５５２に沿って移動しながらベンディングされえる。
【００４０】
本発明の第１実施形態についての動作を添付の図３及び図４に基づいて説明する。
まず、前記空気清浄器が使用されない場合には、図３（ａ）に示すように第１吸入口１１１は第１ドア部５１０によって閉鎖されると同時に、第２吸入口１１２は第２ドア部５２０によって閉鎖される。この際、室内空気は閉鎖された各ドア部５１０，５２０によって集塵用フィルター２１０、及び脱臭用フィルター２２０に影響を与えない。
【００４１】
上述した状態で、前記空気清浄器が室内空気に含まれた各種の塵などの集塵のために使用されれば（即ち、ユーザが集塵モードを選択すれば）、第１駆動モータ５３１の作動によって第１連結ワイヤ５３２が巻かれる。
【００４２】
この際、前記第１連結ワイヤー５３２は第１ドア部５１０に連結されているため、前記第１ドア部５１０は、図３（ｂ）に示すように前記第１連結ワイヤ５３２の巻き方向に沿って第１ガイドレール５５１の案内を受けながら移動する。
したがって、集塵用フィルター２１０が装着された第１吸入口１１１のみ開放され、各脱臭用フィルター２２０が装着された第２吸入口１１２は閉鎖状態を維持する。ここで、前記第１ドア部５１０はフレキシブルな材質で形成されているため、前記第１ガイドレール５５１の案内を受けて移動する途中に、本体１００内の角部に位置し“Ｌ”字状にベンディングされた部分に沿って移動可能である。
【００４３】
図３（ｂ）に基づいて集塵モードでの前記空気清浄器の動作を説明すると次の通りである。
前記ファン３００の回転により発生した吸入力によって室内の空気が前記開放された第１吸入口１１１を介して本体１００内に吸入される。前記吸入された室内の空気は第１吸入口１１１を介してのみ本体１００内に流入し、集塵用フィルター２１０を通過しながら各種の塵などが除去される。
前記塵などが除去された空気は排気ファン３００の作動によって流路ガイド４００に沿って本体１００内の上部に上昇した後、吐出口１２０を介して室内に吐き出される。
【００４４】
一方、前記空気清浄器が室内空気に含まれた各種の匂いなどの脱臭のために使用されれば（即ち、ユーザが脱臭モードを選択すれば）、第２駆動モータ５４１の作動によって第２連結ワイヤ５４２が巻かれる。
【００４５】
この際、前記第２連結ワイヤ５４２の一端は第２ドア部５２０に連結されているため、前記第２ドア部５２０は、図４（ａ）に示すように第２連結ワイヤ５４２の巻き方向に沿って第２ガイドレール５５２の案内を受けながら移動する。
したがって、脱臭用フィルター２２０が装着された第２吸入口１１２のみが開放され、集塵用フィルター２１０が装着された第１吸入口１１１は続けて閉鎖状態を維持する。ここで、前記第２ドア部５２０はフレキシブルな材質からなるので、前記第２ガイドレール５５２の案内を受けて移動する途中に、本体１００内の角部に位置し“Ｌ”字状にベンディングされた部分に沿って移動可能である。
【００４６】
図４（ａ）に基づいて脱臭モードでの前記空気清浄器の動作を説明すると次の通りである。
前記排気ファン３００の作動により発生した吸入力は室内の空気が前記開放された第２吸入口１１２を介して本体１００内に吸入されるようにする。したがって、室内の空気は第２吸入口１１２を介してのみ本体１００内に流入し、前記脱臭用フィルター２２０を通過しながら各種の匂いが除去される。
【００４７】
前記匂いが除去された空気は排気ファン３００の回転によって流路ガイド４００に沿って本体１００内の上部に上昇した後、吐出口１２０を介して室内に吐き出される。したがって、前記空気送風機が設置された場所の環境に応じて選択的に前記集塵モードまたは脱臭モードのみで運転させることで、機器の効率を高められる。即ち、集塵モードでは吸入空気を脱臭用フィルター２２０に通過させる必要がなく、脱臭モードでは吸入空気を集塵用フィルター２１０に通過させる必要がない。したがって、前記空気清浄器の内部に装着された前記脱臭用フィルター２２０、及び集塵用フィルター２１０は相互に分離され並列に提供される。ここで、前記脱臭用フィルター２２０を通る空気と集塵用フィルター２１０の間には分離バー４３０が提供され、それぞれ異なる用途のフィルター２１０，２２０を通る空気が互いに混合されないようにすることが好ましい。
【００４８】
一方、前記空気清浄器が、室内空気の集塵、及び脱臭を同時に行うように使用されれば、第１駆動モータ５３１及び第２駆動モータ５４１の駆動が同時に行われつつ第１連結ワイヤ５３２及び第２連結ワイヤ５４２を巻く。
【００４９】
図４（ｂ）に示すように、前記第１連結ワイヤー５３２は第１ドア部５１０に連結されているため、前記第１ドア部５１０は第１ガイドレール５５１に沿って移動され、前記第２連結ワイヤ５４２は第２ドア部５２０に連結されているため、前記第２ドア部５２０は第２ガイドレール５５２に沿って移動する。
【００５０】
したがって、集塵用フィルター２１０が装着された第１吸入口１１１、及び脱臭用フィルター２２０が装着された第２吸入口１１２が共に開放される。
前記排気ファン３００の作動時に発生する吸入力によって室内の空気が前記開放された第１吸入口１１１、及び第２吸入口１１２を介して本体１００の内部に吸入される。
【００５１】
前記本体内に吸入された室内の空気は集塵用フィルター２１０を通過しながら各種の塵が除去され、脱臭用フィルター２２０を通過しながら脱臭される。
前記集塵、及び脱臭された空気は排気ファン３００の作動によって流路ガイド４００に沿って本体内の上部に上昇した後、吐出口１２０を介して室内に再び吐き出される。
【００５２】
ここで、前記排気ファン３００はその中心部に空気を吸入して円周方向に放出させる遠心ファンを使用することが好ましい。前記遠心ファンは一般の送風ファンに比べて低騒音、高効率の長所を有し、前記空気送風機の内部の空間を最適に活用できる。したがって、前記排気ファン３００の周辺の流路ガイド４００は前記排気ファン３００の円周面に対応する形状に提供され、前記排気ファン３００によって円周方向に放出される空気は前記流路ガイド４００によって案内され、吐出口１２０を介して室内空間に排出される。
【００５３】
一方、前記各吸入口１１１，１１２は上述した本発明の第１実施形態のように本体１００の前面にのみ形成されえるわけではない。
図５に示すように、本発明の第２実施形態では各吸入口が本体１００の両側面に形成される。したがって、排気ファン３００は前記各吸入口１１１，１１２のほぼ中央に装着され、前記各吸入口１１１，１１２を介して室内空気を吸入する。
【００５４】
前記排気ファンが遠心ファンからなる場合、両側からの吸入が行われるべきであるので、それぞれ吸入方向の異なる第１排気ファン３１０及び第２排気ファン３２０のように一対に具備される。ここで、前記各吸入口１１１，１１２を開閉するための開閉手段は、本発明の第１実施形態におけるものと位置のみ変わっているだけで同様に構成される。
【００５５】
前記第２実施形態でも集塵用フィルター２１０と、脱臭用フィルター２２０とがそれぞれ位置した空間を区画するために分離バー４３０が提供される。
また、図示してはいないが、前記各吸入口１１１，１１２を本体１００の前面及び後面にそれぞれ形成することができ、その構成は上述した第１実施形態、または第２実施形態と同一である。
【００５６】
一方、本発明の第３実施形態は、開閉手段をなすドア部が一体からなる構造を有する。図６（ａ）に示すように、本体１００の前面の両側に第１吸入口１１１及び第２吸入口１１２がそれぞれ形成され、一つの第３ドア部５６０が前記各吸入口１１１，１１２を選択的に開閉できる。
即ち、前記第３ドア部５６０は第１吸入口１１１及び第２吸入口１１２を同時に閉鎖できるように長く形成され、第３駆動部によって本体１００内の両側方向に移動が可能である。
【００５７】
ここで、前記第３駆動部は第３ドア部５６０の一方にその一端が連結された第３連結ワイヤ５７２、前記第３連結ワイヤ５７２を巻いたり解いたりするように駆動する第３駆動モータ５７１、前記第３ドア部５６０の他方にその一端が連結された第４連結ワイヤ５８２、そして、前記第４連結ワイヤ５８２を巻いたり解いたりするように駆動する第４駆動モータ５８１を含めて構成される。
【００５８】
前記本体１００内の周縁に沿って前記第３ドア部５６０の移動を案内する第３ガイドレール５５３が装着される。
以下、前記本発明の第３実施形態による空気清浄器の動作を添付の図６（ａ）乃至図６（ｃ）に基づいて説明する。
【００５９】
図６（ａ）を参照すると、初期状態で第３ドア部５６０は第１吸入口１１１及び第２吸入口１１２を同時に閉鎖するように位置される。
前記初期状態でユーザが集塵モードを選択すると、第３駆動モータ５７１は第３連結ワイヤ５７２を解くように動作すると同時に、第４駆動モータ５８１は第４連結ワイヤ５８２を巻くように動作する。
【００６０】
図６（ｂ）に示すように、第３ドア部５６０は第２吸入口１１２が位置した方向に移動しながら第１吸入口１１１は開放され、前記第３ドア部５６０が第１吸入口１１１を完全に開放した位置に到達すると、前記第３駆動モータ５７１及び第４駆動モータ５８１の駆動が停止する。その後、排気ファン３００の作動によって室内空気は前記開放された第１吸入口１１１を介して本体１００内に流入し、集塵用フィルター２１０を通過しながら塵が除去される。
【００６１】
一方、初期状態でユーザが脱臭モードを選択すると、第３駆動モータ５７１は第３連結ワイヤ５７２を巻くように動作するのと同時に、第４駆動モータ５８１は第４連結ワイヤ５８２を解くように動作する。
【００６２】
図６（ｃ）に示すように、第３ドア部５６０は第１吸入口１１１が位置した方向に移動しながら第２吸入口１１２は開放され、前記第３ドア部５６０が第２吸入口１１２を完全に開放する位置に到達すると、前記第３駆動モータ５７１及び第４駆動モータ５８１の駆動が停止する。その後、排気ファン３００の作動によって室内空気は前記開放された第２吸入口１１２を介して本体１００内に流入し、脱臭用フィルター２２０を通過しながら匂いが除去される。
【００６３】
前記第３実施形態でも前記集塵用フィルター２１０が提供された空間と、前記脱臭用フィルター２２０が提供された空間をそれぞれ区画する分離バー４３０が提供される。また、前記第３ドア部５６０の両側の先端には前記分離バー４３０に拘束されるピン４３１が形成されることが好ましい。即ち、集塵モードから脱臭モードに変換するか、あるいはその反対の場合、正確な位置に前記第３ドア部５６０が固定されるようにするために前記ピン４３１は第３ドア部５６０の内側の設定された位置に形成される。
【００６４】
図７（ａ）乃至図７（ｃ）は本発明の第４実施形態による構成を示す。
本発明の第４実施形態は、上述した第３実施形態とは異なり、開閉手段の第３駆動部５６０が単に一つの駆動モータ（第５駆動モータ）５９１、及び一対の連結ワイヤ（第５連結ワイヤ及び第６連結ワイヤ）５９２，５９３で構成される。ここで、前記第５駆動モータ５９１は両軸モータからなる。前記第５連結ワイヤ５９２は前記第３ドア部５６０の一方にその一端が連結され、前記第５駆動モータ５９１に他端が連結される。前記第６連結ワイヤ５９３は前記第３ドア部５６０の他方にその一端が連結され、前記第５駆動モータ５９１に他端が連結される。
【００６５】
図７（ｂ）に示すように、空気清浄器が集塵のために使用される場合には、最初の状態（図７（ａ））で第５駆動モータ５９１が第５連結ワイヤ５９２を解き、第６連結ワイヤ５９３を巻くように駆動することで、第３ドア部５６０を第２吸入口１１２が位置した方向に移動させる。したがって、室内空気は開放された第１吸入口１１１を介してのみ本体１００の内部に吸入され、前記吸入された空気内の各種の塵は前記第１吸入口１１１に装着された集塵用フィルター２１０によって集塵される。
【００６６】
図７（ｃ）に示すように、空気清浄器が脱臭のために使用される場合には、第５駆動モータ５９１が第５連結ワイヤ５９２を巻き、第６連結ワイヤ５９３を解くように構成されることで、第３ドア部５６０を第１吸入口１１１が位置した方向に移動させる。したがって、室内空気は開放された第２吸入口１１２を介してのみ本体１００の内部に吸入され、前記吸入空気内の各種の匂い成分は前記第２吸入口１１２に装着された脱臭用フィルター２２０によって脱臭される。
【００６７】
また、前記第４実施形態でも前記集塵用フィルター２１０が提供された空間と、前記脱臭用フィルター２２０が提供された空間をそれぞれ区画する分離バー４３０が提供される。
【図面の簡単な説明】
【００６８】
【図１】本発明の第１実施形態による空気調和器の第１吸入口が形成された部分の構造を概略的に示す側断面図である。
【図２】本発明の第１実施形態による空気調和器の第２吸入口が形成された部分の構造を概略的に示す側断面図である。
【図３】本発明の第１実施形態による空気清浄器を示す図で、（ａ）は空気清浄器が使用されない状態を示す平面図、（ｂ）は空気清浄器が集塵のために使用される状態を示す平面図である。
【図４】本発明の第１実施形態による空気清浄器を示す図で、（ａ）は空気清浄器が脱臭のために使用される状態を示す平面図、（ｂ）は空気清浄器が集塵及び脱臭を同時に行うために使用される状態を示す平面図である。
【図５】本発明の第２実施形態による構成を概略的に示す平面図である。
【図６】本発明の第３実施形態の構成による動作状態を概略的に示す平面図である。
【図７】本発明の第４実施形態の構成による動作状態を概略的に示す平面図である。
【図８】従来技術による空気清浄器の構造を概略的に示す分解斜視図である。
【図９】従来技術による空気清浄器の内部構造を概略的に示す側断面図である。
【符号の説明】
【００６９】
１００…本体
１１１…第１吸入口
１１２…第２吸入口
１２０…吐出口
２１０…集塵用フィルター
２２０…脱臭用フィルター
３００…排気ファン
４００…流路ガイド
４３０…分離バー
４３１…ピン
５１０…第１ドア部
５２０…第２ドア部
５５１…第１ガイドレール
５５２…第２ガイドレール
５５３…第３ガイドレール
５６０…第３ドア部
【図１】
2005046590.tif 000003
【図２】
2005046590.tif 000004
【図３】
2005046590.tif 000005
【図４】
2005046590.tif 000006
【図５】
2005046590.tif 000007
【図６】
2005046590.tif 000008
【図７】
2005046590.tif 000009
【図８】
2005046590.tif 000010
【図９】
2005046590.tif 000011